(57)【要約】【課題】光ディスク装置において、筐体側の回路基板とトレイ側の回路基板を結線するフレキシブルプリントケーブルによる信号劣化やノイズの混入が課題となっている。【解決手段】本発明の光ディスク装置１は、第１の回路部と、光ディスクに対してデータの記録か再生の少なくとも一方を行う光ピックアップ５を搭載した保持部と、前記保持部に設けられた第２の回路部とを備え、前記第１の回路部と前記第２の回路部間の距離を可変とした光ディスク装置１であって、前記第１の回路部と前記第２の回路部が所定距離以下になった場合に周波数１１ＭＨｚ以上のアナログ信号または信号伝送速度２０Ｍｂｐｓ以上のデジタル信号の少なくとも一方を含む信号の伝達を可能とし、前記第１の回路部と前記第２の回路部が所定距離より離れた場合に前記信号を非伝達とすることとした。【選択図】図２
2005044492.tif 000002
【特許請求の範囲】
【請求項１】
第１の回路部と、
光ディスクに対してデータの記録か再生の少なくとも一方を行う光ピックアップを搭載した保持部と、
前記保持部に設けられた第２の回路部とを備え、
前記第１の回路部と前記第２の回路部間の距離を可変とした光ディスク装置であって、
前記第１の回路部と前記第２の回路部が所定距離以下になった場合に周波数１１ＭＨｚ以上のアナログ信号または信号伝送速度２０Ｍｂｐｓ以上のデジタル信号の少なくとも一方を含む信号の伝達を可能とし、前記第１の回路部と前記第２の回路部が所定距離より離れた場合に前記信号を非伝達とする
ことを特徴とする光ディスク装置。
【請求項２】
前記光ディスク装置は、
接触と非接触の２つの状態をとる少なくとも一対のコネクタを有し、
前記コネクタの一方を前記第１の回路部に設け、
前記コネクタの他方を第２の回路部に設け、
前記第１の回路部と前記第２の回路部が所定距離以下になった場合に前記一方及び他方のコネクタが接触して前記信号または電力の少なくとも一方の伝達が可能となることを特徴とする請求項１に記載の光ディスク装置。
【請求項３】
前記コネクタを複数対設けた
ことを特徴とする請求項２に記載の光ディスク装置。
【請求項４】
前記コネクタのうち、少なくとも一対は前記信号を伝達する
ことを特徴とする請求項３に記載の光ディスク装置。
【請求項５】
前記光ディスク装置は、
第１の回路部と第２の回路部を常時接続する第１の伝達部と、
前記第１の回路部と前記第２の回路部が所定距離以下になった場合に前記信号の伝達が可能であり、前記第１の回路部と前記第２の回路部が所定距離より離れた場合に前記信号は非伝達とした第２の伝達部とを備えた
ことを特徴とする請求項１に記載の光ディスク装置。
【請求項６】
前記第１の伝達部は、
少なくとも電力を伝達し、
前記第２の伝達部は、
接触と非接触の２つの状態をとるコネクタで構成され、前記コネクタの一方を前記第１の回路部に設け、前記コネクタの他方を第２の回路部に設け、
前記第１の回路部と前記第２の回路部が所定距離以下になった場合に前記一方及び他方のコネクタが接触して前記信号の伝達が可能であり、
前記第１の回路部と前記第２の回路部が所定距離より離れた場合に前記一方及び他方のコネクタが非接触となり前記信号は非伝達とした
ことを特徴とする請求項５に記載の光ディスク装置。
【請求項７】
前記光ディスク装置は、
光信号を伝達する第３の伝達部と、
少なくとも電力を伝達する第４の伝達部を備え、
前記第１の回路部と前記第２の回路部は、
前記信号の電気信号を光信号に変換及び前記信号の光信号を電気信号に変換する変換部を
それぞれ備え
前記第３の伝達部は
前記第１の回路部と前記第２の回路部が所定距離以下になった場合に前記光信号の伝達が可能であり、
前記第１の回路部と前記第２の回路部が所定距離より離れた場合に前記光信号は非伝達とした
ことを特徴とする請求項１に記載の光ディスク装置。
【請求項８】
前記第４の伝達部は
第１の回路部と第２の回路部を常時接続する
ことを特徴とする請求項７に記載の光ディスク装置。
【請求項９】
前記第３の伝達部は
受光・発光素子を備え、前記受光・発光素子にて前記光信号を伝達する
ことを特徴とする請求項７に記載の光ディスク装置。
【請求項１０】
第１の回路部と第２の回路部が所定距離以下になった場合に前記光信号の伝達を可能とし、
前記第１の回路部と前記第２の回路部が所定距離より離れた場合に前記光信号を非伝達とするスイッチ部を有する
ことを特徴とする請求項７に記載の光ディスク装置。
【請求項１１】
第１の回路部と、
光ディスクに対してデータの記録か再生の少なくとも一方を行う光ピックアップを搭載した保持部と、
前記保持部に設けられた第２の回路部とを備え、
前記第１の回路部と前記第２の回路部間の距離を可変とした光ディスク装置であって、
前記第１の回路部と前記第２の回路部が所定距離以下になった場合に前記第１の回路部の一部と前記第２の回路部の一部が接触して周波数１１ＭＨｚ以上のアナログ信号または信号伝送速度２０Ｍｂｐｓ以上のデジタル信号の少なくとも一方の信号の伝達が可能となり、前記第１の回路部と前記第２の回路部が所定距離より離れた場合に前記周波数１１ＭＨｚ以上のアナログ信号または信号伝送速度２０Ｍｂｐｓ以上のデジタル信号の少なくとも一方の信号は非伝達となる
ことを特徴とする光ディスク装置。
【請求項１２】
第１の回路部と、
前記第１の回路部を備えた筐体と、
第２の回路部と、
光ディスクを回転させるスピンドルモータと、
前記スピンドルモータに対して近づいたり離れたりし光ディスクに対してデータの記録もしくは再生の少なくとも一方を行う光ピックアップと、
前記第２の回路部と前記スピンドルモータと前記光ピックアップとを備え前記筐体に挿抜自在に設けられたトレイと、
接触と非接触の２つの状態をとるコネクタと
を備えた光ディスク装置であって、
前記コネクタの一方を前記第１の回路部に備え、前記コネクタの他方を前記第２の回路部に備え、
前記トレイを前記筐体に収納すると、前記一方及び他方のコネクタが接触して、前記コネクタを介して周波数１１ＭＨｚ以上のアナログ信号または信号伝送速度２０Ｍｂｐｓ以上のデジタル信号の少なくとも一方を含む信号の伝達が可能となる
ことを特徴とする光ディスク装置。
【発明の詳細な説明】
【技術分野】
【０００１】
本発明は、電子機器等に搭載されるか或いは電子機器に接続される光ディスク装置に関する。
【背景技術】
【０００２】
電子機器に搭載されるＣＤ−ＲＯＭ／Ｒ／ＲＷ、ＤＶＤ−ＲＯＭ／ＲＡＭ／Ｒ／ＲＷなどの光ディスク装置の光ディスク装着方法としては、筐体よりトレイが引き出され、このトレイに光ディスクを取り付け、再び筐体に戻して装着する方式（以下トレイ方式と称する）が一般的である。以下、従来のトレイ方式の光ディスク装置の構成について、図を参照して説明する。
【０００３】
図６は従来のトレイ方式の光ディスク装置の外観図、図７は従来のトレイ方式の光ディスク装置の外観図で、天部２ａを除去した図である。光ディスク装置１には筐体２及びトレイ３があり、図６、図７は筐体２からトレイ３を引き出した状態を示している。筐体２は天部２ａと底部２ｂから構成されている。トレイ３にはピックアップモジュール４が設けられている。ピックアップモジュール４には光学系を構成した光ピックアップ５と光ディスクを回転させるスピンドルモータ４ａ及び制御回路を構成する回路基板４ｃが構成されている。スピンドルモータ４ａには光ディスク装着部４ｂがあり、光ディスクを装着し回転駆動させる。トレイ３の両側部にはレール部６があり、両側部共にレール７と光ディスク引き出し方向に摺動自在に嵌合している。また、レール７は筐体２両側部内面に設けられたレールガイド８とも光ディスク引き出し方向に摺動自在に嵌合しており、トレイ３は筐体２から光ディスクが着脱できるよう引き出すことが出来る。
【０００４】
筐体２の底部２ｂには制御回路を構成する回路基板９が設けられている。回路基板９には、外部からの電力の供給と信号の入出力を行うコネクタ９ａが設けられている。回路基板９とトレイ３に設けられた回路基板４ｃとはフレキシブルプリントケーブル１０で結線されている。フレキシブルプリントケーブル１０は略Ｕ字形をしており、その一方の腕が折り返されて回路基板４ｃに結線されている。折り返し部１０ａはトレイ３の出し入れとともにトレイ３の出し入れ方向に平行して移動する。これによって、フレキシブルプリントケーブル１０は、トレイ３を筐体２に収納した状態であっても、またトレイ３を最大に引き出した状態であっても、光ディスク装置１の他の部材に衝突することなく、結線状態を維持することが出来る。
【０００５】
先行例としては、（特許文献１）、（特許文献２）等がある。
【特許文献１】特開平８−２２１９６７号公報
【特許文献２】特開平９−１７１１３号公報
【発明の開示】
【発明が解決しようとする課題】
【０００６】
しかしながらこのような従来の構成では回路基板９は、外部からの電力の供給と信号の入出力を行うコネクタ９ａが設けられていることから、筐体２のトレイ３引き出し側とは反対側の端に配置することが必要となる。さらに、フレキシブルプリントケーブル１０を他部品との衝突を避けるために略Ｕ字にしていることから、フレキシブルプリントケーブル１０上の配線パターンの長さが長くなることが避けられない。
【０００７】
一方、光ディスク装置１で読み書きを行うデータの転送速度は年々高速化が進んでいる。例えばコンパクトディスク（ＣＤ）では、データ転送速度は標準速度（１倍速）で４Ｍ
ｂｐｓ程度であるが、１６倍速、２４倍速と高速化が進んでいる。さらにＤＶＤではデータ転送速度は標準速度（１倍速）で２６．１Ｍｂｐｓ程度であり、これもさらなる高速化が進んでいる。青色半導体レーザを用いたＤＶＤではさらに大幅にデータ転送速度が高速化することが予想される。
【０００８】
このようなデータ転送速度の高速化とともに、長いフレキシブルプリントケーブルでの信号劣化や長いフレキシブルプリントケーブルが拾うノイズが無視できない問題となりつつあり、フレキシブルプリントケーブルに代わる信号劣化が少なく、ノイズを拾いにくい信号伝送部が求められている。
【課題を解決するための手段】
【０００９】
かかる課題を解決するために本発明は、第１の回路部と、光ディスクに対してデータの記録か再生の少なくとも一方を行う光ピックアップを搭載した保持部と、前記保持部に設けられた第２の回路部とを備え、前記第１の回路部と前記第２の回路部間の距離を可変とした光ディスク装置であって、前記第１の回路部と前記第２の回路部が所定距離以下になった場合に周波数１１ＭＨｚ以上のアナログ信号または信号伝送速度２０Ｍｂｐｓ以上のデジタル信号の少なくとも一方を含む信号の伝達を可能とし、前記第１の回路部と前記第２の回路部が所定距離より離れた場合に前記信号を非伝達とすることとした。
【発明の効果】
【００１０】
本発明の光ディスク装置では、信号の劣化やノイズの混入を低減することができる。
【発明を実施するための最良の形態】
【００１１】
（実施の形態１）
以下、本発明の実施の形態について、図面を用いて説明する。図１は本発明の一実施の形態における光ディスク装置の外観図、図２は本発明の一実施の形態における光ディスク装置の外観図で、筐体の天部を除去した図、図３は本発明の一実施の形態における光ディスク装置の主な信号系のブロック図、図４は本発明の他の一実施の形態における光ディスク装置の外観図で、筐体の天部を除去した図、図５は本発明の他の一実施の形態における光ディスク装置の主な信号系のブロック図である。光ディスク装置１には筐体２及びトレイ３があり、図１、図２、図４は筐体２からトレイ３を引き出した状態を示している。
【００１２】
筐体２は天部２ａと底部２ｂから構成されている。トレイ３にはピックアップモジュール４が設けられている。ピックアップモジュール４には光学系を構成した光ピックアップ５と光ディスクを回転させるスピンドルモータ４ａ及び制御回路を構成する回路基板４ｃが構成されている。ピックアップモジュール４に設けられた光ピックアップ５はスピンドルモータ４ａに対して近づいたり離れたりする。スピンドルモータ４ａには光ディスク装着部４ｂがあり、光ディスクを装着し回転駆動させる。トレイ３の両側部にはレール部６があり、両側部共にレール７と光ディスク引き出し方向に摺動自在に嵌合している。また、レール７は筐体２両側部内面に設けられたレールガイド８とも光ディスク引き出し方向に摺動自在に嵌合しており、トレイ３は筐体２に対し挿抜自在である。トレイ３は筐体２から所定の長さだけ引き出されると筐体２に対して係止する。このときトレイ３に設けられた光ディスク装着部４ｂに光ディスクを装着もしくは取り外すことが可能である。トレイ３には付勢部１２が設けられており、イジェクト動作時に付勢部１２が筐体２を押すことにより、トレイ３は筐体２から飛び出す。
【００１３】
光ディスク装置１は、ＣＤ−ＲＯＭ、ＣＤ−Ｒ／ＲＷの高速タイプもしくはＤＶＤ等、データ転送速度が速いもので、２０Ｍｂｐｓ以上のデータ転送速度を有するものである。筐体２の底部２ｂには制御回路を備える回路基板９が設けられており、トレイ３には制御回路を備える回路基板４ｃが設けられており、回路基板９には、外部からの電力の供給と
信号の入出力を行うコネクタ９ａが設けられている。
【００１４】
回路基板９と回路基板４ｃには、一対のコネクタ１１が設けられている。コネクタ１１の一方は回路基板９に設けられ、コネクタ１１の他方は回路基板４ｃに設けられている。コネクタ１１には金属などの導電材料で構成された端子（図示せず）が設けられており、接続するとコネクタ１１の一方の端子と他方の端子が接触し、電気的導通が図られる。コネクタ１１が分離すると一方の端子と他方の端子は非接触となり、電気的導通は断たれる。コネクタ１１は、トレイ３を筐体２に収納した状態では接続して、トレイ３を筐体２から引き出した状態では分離する様位置決めされており、接続時は回路基板９と回路基板４ｃ間の信号と電力の伝達を行い、分離した状態では信号と電力の伝達を行わない。コネクタ１１の接続時の接続状態の維持は、主にトレイ３を筐体２に収納時の両者のロック機構（図示せず）で行われるため、コネクタ１１にはロック機能は不要である。また、コネクタ１１の挿抜力（抜き差しするために必要となる力）は、接点の接触抵抗を損ねない（接点が電気的に十分に導通する）範囲で低く設定されているため、イジェクト動作時にトレイ３を筐体２から押し出す付勢部１２がコネクタ１１の挿抜力に抗してトレイ３を押し出す点は問題ない。
【００１５】
電力系としては、スピンドルモータ４ａや、ピックアップモジュール４に設けられ光ピックアップ５を光ディスクの径方向に駆動するフィードモータ（図示せず）への電力供給及び光ピックアップ５に設けられた半導体レーザ（図示せず）への電力供給が有り、信号としては、光ディスクから読み取りまたは光ディスクに書き込むデータの信号や、スピンドルモータ４ａ、フィードモータ、半導体レーザを制御する信号がある。
【００１６】
信号系の構成を図３を用いて説明する。１０１はデータが記録される光ディスクであり、スピンドルモータ駆動回路１０２よりスピンドルモータ１０３へ電流が供給され駆動する。１０４はデータの記録もしくは再生の少なくとも一方を行う光ピックアップ、１０５は光ピックアップ１０４内にアクチュエータにて保持されているレーザー集光用対物レンズであり、アクチュエータ駆動回路１０６により光ディスクの上下方向、半径方向に駆動される。光ピックアップ１０４はレーザー駆動回路１０７より電流が供給され、所定のパワーでレーザーを光ディスク１０１へ出射する。光ディスク１０１からの反射光は光ピックアップ１０４で受け、光検出器１０８で電気信号に変換されサーボエラー信号が検出される。なお、図２に示す光ピックアップ５には図３における光ピックアップ１０４と光検出器１０８が構成されている。サーボエラー信号はサーボプロセッサ１０９のフィードバック信号として使用され、アクチュエータ駆動回路１０６およびスピンドルモータ駆動回路１０２が制御される。
【００１７】
また、光ディスク１０１に記録されたデータは、光検出器１０８で電気信号（ＲＦ信号と呼ばれる）に変換され、ＲＦアンプ１１０で増幅される。増幅されたＲＦ信号は、ＲＦ信号復調・エラー訂正部１１１でデジタル信号への復調とエラー訂正処理を行い、光ディスク１０１に記録されたデータである元のデジタル信号が得られる。
【００１８】
レーザー駆動回路１０７はＤ／Ａ変換器１１２よりレーザーの駆動電流を決定するためレーザーパワー決定電圧が入力される。１１３は論理判断や演算を行うためのＣＰＵである。１１４はメインメモリであり、制御のために必要な記憶領域の他、各種の記録制御、再生制御に必要な記憶領域として使用される。光ディスク１０１への記録時は、光ディスク１０１へ出射されるレーザーはパワー制御用モニタ１１５で電圧変換され、レーザーパワーに応じた電圧がサンプリング部１１６を通じ比較器１１７へ入力される。一方、最適記録レーザーパワーに応じた制御値がメインメモリ１１４に保存されており、ＣＰＵ１１３によって制御値がメインメモリ１１４より取得されＤ／Ａ変換器１１２により比較器１１７へ入力される。比較器１１７は、サンプリング部１１６より入力される電圧値と、Ｄ
／Ａ変換器１１２により入力される電圧値を比較する。ＣＰＵ１１３はその比較結果をもとに、サンプリング部１１６から比較器１１７へ入力される電圧値が、Ｄ／Ａ変換器１１２から比較器１１７へ入力される電圧値になるようレーザー駆動回路１０７を制御する。図３のＡ部がトレイ３側の回路基板４ｃに構成され、図３のＢ部が筐体２側の回路基板９上に構成されており、両者の信号の伝達はコネクタ１１を介して行われている。
【００１９】
なお、図３は主な信号系のブロック図であり、システムによって異なる場合がある。例えば、トレイ３のイジェクト動作に関わるイジェクト信号系が加わることもある。
【００２０】
光ディスク装置１が２０Ｍｂｐｓ以上のデータ転送速度を有するものであるため、コネクタ１１を介して伝達される信号も高周波の信号となり、デジタル信号では２０Ｍｂｐｓ以上のデータ転送速度、アナログ信号の場合１０ＭＨｚ程度以上となるが、コネクタ１１の少なくとも信号を伝達する端子部分はこのような高周波の信号に対応できる構成となっている。また、コネクタ１１の少なくとも電力を伝達する端子部分は電力の伝達に対応できる構成となっている。また、コネクタ１１が接続していない状態では電力も信号も伝達されないため、コネクタ１１はトレイ引き出し時はレーザの発光等を止めるスイッチとして機能する。よって、別途レーザの発光等を止めるスイッチを設ける必要が無くなる。但し、レーザの発光等をＯＮ／ＯＦＦするスイッチがコネクタ１１の端子とは別に設けられており、コネクタ１１の接続とともにこのスイッチがＯＮとなり、コネクタ１１を分離するとともにＯＦＦとなるものであってもよい。また、レーザの発光等をＯＮ／ＯＦＦするリレー回路が回路基板４ｃに設けられており、このリレー回路の制御信号をコネクタ１１に通すことによって、コネクタ１１が接続しているか分離しているかをこの制御信号の導通で検知し、レーザの発光等をＯＮ／ＯＦＦする構成であっても良い。
【００２１】
コネクタ１１は複数個（正確には複数対）で、いずれもトレイ３を筐体２に収納した状態では接続し、トレイ３を筐体２から引き出した状態では分離する様位置決めされたものであってもよい。この場合、信号系と電力系とでコネクタを別個にすることによって、例えば信号系のコネクタはより信号の周波数に適応した最適なコネクタを選定できる等最適な構成を設定することが出来る。
【００２２】
また、トレイ３の引き出し前には回路の電源を停止し、トレイ３の装着後に回路の電源を復帰する様なスイッチ機能を光ディスクのイジェクト動作に追加することで、回路の誤動作を低減できることがある。
【００２３】
また、トレイ３を引き出した状態において回路基板４ｃが電気的に浮いた状態にならない様に、レール７を経由して筐体２に接地することや、接地線のみ回路基板４ｃと回路基板９もしくは筐体２間で常時接続することは有効である。
【００２４】
このように、図２における回路基板９と回路基板４ｃとをコネクタ１１によって接続することにより、回路基板９と回路基板４ｃとの間の信号の伝送路は短くなり、伝達される信号は回路基板９と回路基板４ｃとの間においてノイズの影響を受けにくくなる。また、信号の劣化によるエラーの発生を抑えることが可能となる。
【００２５】
図４は回路基板９と回路基板４ｃ間の伝達部として、トレイ３の筐体２への収納や取り出しに連動して接続分離が行われる伝達部と、トレイ３の筐体２への収納や取り出しにかかわらず回路基板９と回路基板４ｃの結線状態を維持する伝達部を併用したものである。具体的には、信号系はコネクタ１１ａを用い、電力系はフレキシブルプリントケーブル１０を用いている。このような構成においては、従来のフレキシブルプリントケーブルのみを用いていた構成で課題となっていた劣化やノイズの混入が起こりやすい信号系のみコネクタ１１ａを用いているため、従来の上記課題が解消するとともにコネクタ１１ａを小型
化することが出来る。コネクタ１１ａを小型化することが出来ることによって、接点の接触抵抗を確保し（接点を電気的に十分に導通させ）、コネクタ１１ａの挿抜力をより小さくすることが出来るため、イジェクト動作時にトレイ３を筐体２から押し出す付勢部１２の設定が容易になる。なお、劣化やノイズの混入の問題が少ない信号についてはフレキシブルプリントケーブル１０を用いてもよい。接地系についてもフレキシブルプリントケーブル１０を用いることができる。
【００２６】
さらに、図５に示すように信号系については、コネクタ１１ａを挟んで、Ａ部（回路基板４ｃ上に構成される）に電気信号／光信号変換器１１８ａ、Ｂ部（回路基板９上に構成される）に電気信号／光信号変換器１１８ｂを設けることにより、コネクタ１１ａにおいて光信号で信号伝達を行う構成とすることも可能である。コネクタ１１ａは、図４に示すトレイ３を筐体２に収納した状態では接続し、トレイ３を筐体２から引き出した状態では分離する様位置決めされているが、両基板からの光信号の伝達部分を位置決めするとともに、防塵の機能を成している。
【００２７】
電気信号／光信号変換器１１８ａ、１１８ｂはいずれも光信号の受信部と発信部を有し、電気信号を光信号に変換して発信するとともに光信号を受信して電気信号に変換することが可能である。Ａ部（回路基板４ｃ側）の電気信号／光信号変換器１１８ａが電気信号を光信号に変換して発信部から発信すると、コネクタ１１ａを通ってＢ部（回路基板９側）の電気信号／光信号変換器１１８ｂの受信部が受信して電気信号に変換する。逆に電気信号／光信号変換器１１８ｂが光信号を発信して電気信号／光信号変換器１１８ａが受信することも可能である。受信部と発信部は回路的に一体であっても別体であっても良く、機構的にも一体であっても別体であっても良い。コネクタ部分を含む光信号の伝達部分は、電気信号／光信号変換器１１８ａから電気信号／光信号変換器１１８ｂへ向かう信号と、それとは逆に、電気信号／光信号変換器１１８ｂから電気信号／光信号変換器１１８ａへ向かう信号とが、別の伝達部分（言い換えると２系統）で伝達されても良く、また、両者が同一の伝達部分（言い換えると１系統）で伝達されても良い。発信部は半導体レーザや発光ダイオード等が使用される。受信部は光センサーが使用される。
【００２８】
光信号の伝達部分は光ファイバーが使用でき、図４の回路基板９と回路基板４ｃの両基板からの光ファイバーの端部がコネクタ１１ａにおいて対向することで信号が伝達される。コネクタ１１ａは両端部の位置決めと防塵のために機能し、コネクタ１１ａの挿抜力はさらに低減でき、イジェクト動作時にトレイ３を筐体２から押し出す付勢部１２の設定が容易になる。
【００２９】
また、コネクタ１１ａを両基板の対応する発信部と受信部を直接対向させて信号伝達が可能なものとして構成することも可能である。この場合、光信号の伝達部分は除去可能であり、回路基板９と回路基板４ｃの上にそれぞれの発信部と受信部がトレイ３収納時に直接対向するように配置することも可能である。またこの場合、発信部と受信部で信号伝達が可能で有るならば、発信部と受信部の間隔は問わない。さらに発信部と受信部の位置決めと防塵に支障がないならば、位置決めと防塵のためのコネクタ１１ａも除去可能である。
【００３０】
また光信号による伝達を行う場合、トレイ３と筐体２が光信号伝達可能な距離まで近づいた場合もしくは設計上必要な距離まで近づいた場合、光信号の発光を可能にするスイッチ機能を設けることによって、電力の無用な消費を低減できる。
【００３１】
また、電力の伝達や劣化やノイズの混入の問題が起こりにくい信号の伝達に関して言うと、光信号を用いて信号伝達をおこなう時にも、コネクタを用いて伝達する方法とフレキシブルプリントケーブルを用いて伝達する方法の両方が考えられる。
【００３２】
このように、回路基板９と回路基板４ｃの間を伝わる信号で、劣化やノイズの混入の問題が起こりやすい信号を含む少なくとも一部の信号を光信号とすることにより、ノイズの混入をさらに低減することができる。
【産業上の利用可能性】
【００３３】
本発明は、信号の劣化やノイズの混入を低減することが必要な電子機器等に搭載されるか或いは電子機器に接続される光ディスク装置等の用途にも適用できる。
【図面の簡単な説明】
【００３４】
【図１】本発明の一実施の形態における光ディスク装置の外観図
【図２】本発明の一実施の形態における光ディスク装置の外観図で、筐体の天部を除去した図
【図３】本発明の一実施の形態における光ディスク装置の主な信号系のブロック図
【図４】本発明の他の一実施の形態における光ディスク装置の外観図で、筐体の天部を除去した図
【図５】本発明の他の一実施の形態における光ディスク装置の主な信号系のブロック図
【図６】従来のトレイ方式の光ディスク装置の外観図
【図７】従来のトレイ方式の光ディスク装置の外観図で、天部を除去した図
【符号の説明】
【００３５】
１    光ディスク装置
２    筐体
２ａ    天部
２ｂ    底部
３    トレイ
３ａ    付勢部
４    ピックアップモジュール
４ａ    スピンドルモータ
４ｂ    光ディスク装着部
４ｃ    回路基板
５    光ピックアップ
６    レール部
７    レール
８    レールガイド
９    回路基板
９ａ    コネクタ
１０    フレキシブルプリントケーブル
１０ａ    折り返し部
１１    コネクタ
１１ａ    コネクタ
１２    付勢部
１０１    光ディスク
１０２    スピンドルモータ駆動回路
１０３    スピンドルモータ
１０４    光ピックアップ
１０５    対物レンズ
１０６    アクチュエータ駆動回路
１０７    レーザー駆動回路
１０８    光検出器
１０９    サーボプロセッサ
１１０    ＲＦアンプ
１１１    ＲＦ信号復調・エラー訂正部
１１２    Ｄ／Ａ変換器
１１３    ＣＰＵ
１１４    メインメモリ
１１５    パワー制御用モニタ
１１６    サンプリング部
１１７    比較器
１１８ａ、１１８ｂ    電気信号／光信号変換器
【図１】
2005044492.tif 000003
【図２】
2005044492.tif 000004
【図３】
2005044492.tif 000005
【図４】
2005044492.tif 000006
【図５】
2005044492.tif 000007
【図６】
2005044492.tif 000008
【図７】
2005044492.tif 000009